(57)【特許請求の範囲】
【請求項１】
環状の設置部と、該設置部から上方への立ち上がり部及び閉じた天面を有した殻状壁とを備え、該殻状壁が三次元網目構造からなる部分を備えており、前記設置部は、前記殻状壁が排水口を覆う位置をとるように、前記排水口又はその近傍に接し得る排水口用フィルタであって、
前記三次元網目構造からなる部分の内側における網目が、外側における網目よりも網目の開口が小さくなっていることを特徴とする排水口用フィルタ。
【請求項２】
環状の設置部と、該設置部から上方への立ち上がり部及び閉じた天面を有した殻状壁とを備え、該殻状壁が三次元網目構造からなる部分を備えており、前記設置部は、前記殻状壁が排水口を覆う位置をとるように、前記排水口又はその近傍に接し得る排水口用フィルタであって、
前記殻状壁が、その天面付近に薬剤載置用凹部を備えていることを特徴とする排水口用フィルタ。
【請求項３】
環状の設置部と、該設置部から上方への立ち上がり部及び閉じた天面を有した殻状壁とを備え、該殻状壁が三次元網目構造からなる部分を備えており、前記設置部は、前記殻状壁が排水口を覆う位置をとるように、前記排水口又はその近傍に接し得る排水口用フィルタであって、
前記設置部が、前記殻状壁の底部から径方向外側に突出したフランジ部を備えていることを特徴とする排水口用フィルタ。
【請求項４】
環状の設置部と、該設置部から上方への立ち上がり部及び閉じた天面を有した殻状壁とを備え、該殻状壁が三次元網目構造からなる部分を備えており、前記設置部は、前記殻状壁が排水口を覆う位置をとるように、前記排水口又はその近傍に接し得る排水口用フィルタであって、
前記殻状壁を構成する樹脂が、洗浄剤、香料、消臭剤、脱臭剤、殺菌剤、除菌剤、及び抗菌剤の少なくとも一つを含有していることを特徴とする排水口用フィルタ。
【請求項５】
前記フランジ部が、排水口又は排水口付近に対応する形状に切り取り可能とされていることを特徴とする請求項３記載の排水口用フィルタ。
【請求項６】
前記三次元網目構造からなる部分の外側が起毛状とされていることを特徴とする請求項１〜５のいずれかに記載の排水口用フィルタ。
【請求項７】
前記三次元網目構造が、ポリウレタンフォーム又はポリエチレンフォームの破泡処理により形成されていることを特徴とする請求項１〜６のいずれかに記載の排水口用フィルタ。
【請求項８】
前記殻状壁がドーム型であることを特徴とする請求項１〜７のいずれかに記載の排水口用フィルタ。
【請求項９】
前記殻状壁に、廃棄用吊り上げ部材が設けられていることを特徴とする請求項１〜８のいずれかに記載の排水口用フィルタ。
【請求項１０】
前記設置部が、排水口又はその近傍に接して自己接着可能な構造となっていることを特徴とする請求項１〜９のいずれかに記載の排水口用フィルタ。
【発明の詳細な説明】
【０００１】
【発明の属する技術分野】
本発明は、排水口用フィルタに関し、より詳細には、浴室の洗い場、洗面場、流し台、屋外の洗い場、排水中に異物の混入を伴う場所などに設けられた排水口に設置される排水口用フィルタに関する。
【０００２】
【従来の技術】
上記のような排水口では、排水管の詰まりや汚染を防止するため、排水中のゴミや毛などの異物を捕捉し、排水とは別に廃棄することが望ましい。このため、上記のような排水口に装着する種々の排水口用フィルタが提案されている。
【０００３】
例えば、特開平８−４９２７４号公報（特許文献１）には、合成繊維のパイル織りにより基材表面から無数の針状体を突出させたシート状の排水口用フィルタが示されている。この排水口用フィルタは、裏面の粘着材層により排水口の目皿に貼着され、排水に含まれる毛などを表面の針状体に絡ませて捕捉するようになっている。これと同様に針状体（剛毛）を備えたシート状の排水口用フィルタが、実用新案第３０４２５１６号（特許文献２）、実開昭６０−１８９３０５号公報（特許文献３）にもそれぞれ記載されている。
【０００４】
また、実開平６−３０２７０号公報（特許文献４）には、排水口の目皿の下面に沿わせて組込み可能なシート状の排水口用フィルタ、及び目皿を包み込む袋状の排水口用フィルタが示されている。このように排水口の目皿に重ねて組み込む、或いは目皿を包み込む排水口用フィルタが、特開平６−２８５３０９号公報（特許文献５）、実開平７−１５８７２号公報（特許文献６）、及び特開平１０−２５２１１５号公報（特許文献７）にそれぞれ記載されている。
【０００５】
実開昭６１−１７３４０１号公報（特許文献８）及び実開昭６２−９４１６４号公報（特許文献９）には、目皿の周縁から下方へ吊り下げて設置されるネット状の排水口用フィルタが記載されている。
【０００６】
実開昭６３−１７３３０５号公報（特許文献１０）には、ドーム状に隆起したフィルタの外周部を囲むように粘着面を設けた排水口用フィルタが記載されている。そして、特開平８−２９６２６５号公報（特許文献１１）には、目皿の中央上方から目皿を覆うように放射状に広がる複数のゴミ取り部材を有する排水口用フィルタが記載されている。
【０００７】
さらに、特開平９−２２５２１４号公報（特許文献１２）には、排水口直下の排水管に挿入されて用いられる三次元網目構造からなる略円柱形の排水口用フィルタが記載されている。
【０００８】
【特許文献１】
特開平８−４９２７４号公報（第１頁）
【０００９】
【特許文献２】
実用新案第３０４２５１６号（第２頁）
【００１０】
【特許文献３】
実開昭６０−１８９３０５号公報（第２頁）
【００１１】
【特許文献４】
実開平６−３０２７０号公報（第２頁）
【００１２】
【特許文献５】
特開平６−２８５３０９号公報（第２頁）
【００１３】
【特許文献６】
実開平７−１５８７２号公報（第２頁）
【００１４】
【特許文献７】
特開平１０−２５２１１５号公報（第２頁）
【００１５】
【特許文献８】
実開昭６１−１７３４０１号公報（第２頁）
【００１６】
【特許文献９】
実開昭６２−９４１６４号公報（第２頁）
【００１７】
【特許文献１０】
実開昭６３−１７３３０５号公報（第２頁）
【００１８】
【特許文献１１】
特開平８−２９６２６５号公報（第２頁）
【００１９】
【特許文献１２】
特開平９−２２５２１４号公報（第２頁）
【００２０】
【発明が解決しようとする課題】
しかしながら、上記特許文献１〜７及び１２に記載の排水口用フィルタでは、排水を受けるフィルタ部分の形状は排水口の開口部や排水管内に設置される平板状のものであり、その面積は排水口や排水管の径と同程度となっている。そのため、この限られた面積内を排水が通過し、フィルタ部分がすぐに目詰まりしてしまうという欠点があった。
【００２１】
また、特許文献８及び９に記載の排水口用フィルタのように、目皿の下方に網部を垂下させるものの場合には、水分を含む異物を捕らえる網部が空気の流通し難い目皿の下方に設置されるため、雑菌が繁殖しやすく不衛生であるという問題があった。
【００２２】
また、特許文献１０に記載の排水口用フィルタでは、フィルタの網目が単層であるため異物を逃しやすいという欠点があった。そのため、同じフィルタを複数枚重ねる形態も図示されているが、この場合も異物の捕捉能力、特に小さいゴミ等の異物を捕捉する能力は個々の単層フィルタにより決定されるので、大幅な改善を期待することはできない。さらに複数枚重ねることによりコストが嵩む、フィルタの清掃がより面倒になるなどの問題が発生する。
【００２３】
特許文献１１に記載の排水口用フィルタにおいても、同様に異物の捕捉能力が低いという問題がある。この場合、フィルタは網目ではなく櫛歯状となっているので、さらに異物の捕捉能力が低くなってしまう。
【００２４】
上記のように、従来の排水口用フィルタには、高い異物の捕捉能力を保ちつつ、排水能力を長期間維持することはできなかった。
【００２５】
本発明は上記課題を解決するためになされたものであり、高い異物の捕捉能力を保ちつつ、排水能力を長期間維持し得る排水口用フィルタを提供することを目的とする。
【００２６】
【課題を解決するための手段】
上記課題を解決するため、本発明に係る排水口用フィルタは、環状の設置部と、該設置部から上方への立ち上がり部及び閉じた天面を有した殻状壁とを備え、該殻状壁が三次元網目構造からなる部分を備えており、前記設置部は、前記殻状壁が排水口を覆う位置をとるように、前記排水口又はその近傍に接し得る排水口用フィルタであって、前記三次元網目構造からなる部分の内側における網目が、外側における網目よりも網目の開口が小さくなっていることを特徴とする。
【００２７】
本明細書において、排水口又はその近傍とは、排水口の縁部、又は該縁部の径方向（一般には水平方向）及び軸線方向（一般には上下方向）における外側及び内側のいずれかの方向において近い部分をいう。また、設置部が排水口又はその近傍に接し得るという場合の接し方は、排水口の縁部又はその近傍に直接接し、或いは排水口に設けられた目皿や網状部材等の透水蓋に接するというように、直接的接触及び間接的接触を含む。
【００２８】
また、設置部は、三角形その他の多角形状、円形、星形等、種々の環状の形態とすることもできる。殻状壁は、設置部から上方への立ち上がり部及び閉じた天面を有した種々の形状とすることができ、例えば、ドーム状、有蓋筒状、錘体状等とすることができる。ドーム型のものには、真円状に形成されたものだけでなく、卵状、楕円状、又はその組み合わせ等、全体として丸味を帯びた殻形状が含まれる。
【００２９】
上記排水口用フィルタによれば、三次元網目構造からなる部分によって、排水中の異物を該構造中に立体的に分散させて捕捉することができるので、異物を捕捉しても該構造中に排水経路となる空隙を残留させ易い。したがって、高い異物の捕捉能力を保ちつつ、排水能力を長期間維持することができる。
【００３０】
また、設置部からの立ち上がり部及び閉じた天面を有した立体的な殻状壁が三次元網目構造からなる部分を備えているので、排水と最もよく接する部分が目詰まり等で排水能力を低下させても、殻状壁の他の部分からの排水が確保される。したがって、この点からも高い排水能力を長期間維持することができる。
さらに、三次元網目構造からなる部分の内側における網目が、外側における網目よりも網目の開口が小さくなっているので、大きい異物を三次元網目構造の外側で捕捉し、小さい異物を内側で捕捉するというように、異物の捕捉位置をより立体的に分散させて、排水能力をより長期間維持することができる。
本発明に係る他の排水口用フィルタは、環状の設置部と、該設置部から上方への立ち上がり部及び閉じた天面を有した殻状壁とを備え、該殻状壁が三次元網目構造からなる部分を備えており、前記設置部は、前記殻状壁が排水口を覆う位置をとるように、前記排水口又はその近傍に接し得る排水口用フィルタであって、前記殻状壁が、その天面付近に薬剤載置用凹部を備えていることを特徴とする。
上記排水口用フィルタによれば、さらに、前記殻状壁が、その天面付近に薬剤載置用凹部を備えているので、該薬剤載置用凹部の中に、洗浄剤、香料、消臭剤、脱臭剤、殺菌剤、除菌剤、抗菌剤等の薬体を設置することができ、排水中の異物を除去しつつ、設置した薬剤の作用を得ることができる。
本発明に係るさらに他の排水口用フィルタは、環状の設置部と、該設置部から上方への立ち上がり部及び閉じた天面を有した殻状壁とを備え、該殻状壁が三次元網目構造からなる部分を備えており、前記設置部は、前記殻状壁が排水口を覆う位置をとるように、前記排水口又はその近傍に接し得る排水口用フィルタであって、前記設置部が、前記殻状壁の底部から径方向外側に突出したフランジ部を備えていることを特徴とする。
上記排水口用フィルタによれば、排水口の周縁部との接触面積が増し、排水口用フィルタを安定して設置することができる。
本発明に係るさらに異なる他の排水口用フィルタは、環状の設置部と、該設置部から上方への立ち上がり部及び閉じた天面を有した殻状壁とを備え、該殻状壁が三次元網目構造からなる部分を備えており、前記設置部は、前記殻状壁が排水口を覆う位置をとるように、前記排水口又はその近傍に接し得る排水口用フィルタであって、前記殻状壁を構成する樹脂が、洗浄剤、香料、消臭剤、脱臭剤、殺菌剤、除菌剤、及び抗菌剤の少なくとも一つを含有していることを特徴とする。
上記排水口用フィルタによれば、さらに、前記殻状壁を構成する樹脂が、洗浄剤、香料、消臭剤、脱臭剤、殺菌剤、除菌剤、及び抗菌剤の少なくとも一つを含有しているので、排水中の異物を除去しつつ、含有している薬剤の作用を得ることができる。
【００３１】
前記三次元網目構造からなる部分の外側は起毛状とされていることが望ましい。これにより排水中の異物を起毛状の部分に絡め取ることができ、より高い異物の捕捉能力を得ることができる。
【００３４】
また、前記三次元網目構造が、ポリウレタンフォーム又はポリエチレンフォームの破泡処理により形成されていることが望ましい。これにより、上記の排水口用フィルタに高い排水能力を持続させつつ、安価に製造することができる。
【００３５】
また、前記殻状壁がドーム型であることが望ましい。ドーム形状とすることにより、殻状壁における排水能力及び異物の捕捉能力を壁面全体に亘らせることができ、製造も容易となる。
【００３６】
また、前記殻状壁に、廃棄用吊り上げ部材が設けられていることが望ましい。これにより、手を汚さず簡便に使用後の排水口用フィルタを排水口から取り外すことができる。
【００３８】
また、前記設置部が、排水口又はその近傍に接して自己接着可能な構造となっていることが望ましい。これにより排水口用フィルタが排水に流されるのを防いで、排水口用フィルタの設置を安定化させることができる。
【００４０】
また、前記フランジ部が、排水口又は排水口付近に対応する形状に切り取り可能とされていることが望ましい。これにより該フランジ部の一部を切り取ることができ、設置する排水口開口部の寸法や形状に適合させることが可能となる。
【００４２】
【発明の実施の形態】
以下、本発明に係る実施形態について、添付図面を参照しつつ詳細に説明をする。
【００４３】
図１（ａ）は、本発明の実施形態に係る排水口用フィルタの斜視図であり、図１（ｂ）は図１（ａ）に示した領域Ａ、図１（ｃ）は領域Ｂにおける排水口用フィルタの断面をそれぞれ示している。図２（ａ）は、本発明の実施形態に係る排水口用フィルタの使用状態を示した図であり、図２（ｂ）は図２（ａ）に示した領域Ｃにおける排水口用フィルタの断面を示している。
【００４４】
図示のように、本発明の実施形態に係る排水口用フィルタ１０は、環状の設置部１０ｂと、設置部１０ｂから上方への立ち上がり部及び閉じた天面を有したドーム型の殻状壁１０ａと、殻状壁１０ａの天面付近で殻状壁１０ａと結合された廃棄用吊り上げ部材１４とを備えている。
【００４５】
殻状壁１０ａは、この例では三次元網目構造からなる部分１０ｃで全体を形成されている。このような三次元網目構造は、ポリウレタン、ポリエチレン、ポリプロピレン、ポリスチレン、ポリ塩化ビニール、若しくはポリエチレンテレフタレート又はこれらの共重合体（例えば発泡ポリエチレン／ポリスチレン共重合樹脂等）、或いはこれらの混合物からなる樹脂、或いは、メラニン樹脂、生分解性樹（脂肪族ポリエステル樹脂）等の種々の樹脂の発泡処理、又は発泡処理及び破泡処理等により得ることができる。これらの中でも望ましい網目（セル）の大きさを得る点と安定性（耐水性）等の点から、ポリウレタンフォームの破泡処理により形成することが望ましく、ポリエチレンフォーム等も破泡処理により形成することもできる。ポリウレタンフォームはポリオールの種類によりエステルタイプ及びエーテルタイプのいずれにも形成可能である。エステルタイプのものでは、空隙の大きさが多様となり、伸縮性、強度、耐摩耗性、耐熱性、耐油性、耐候性の面で有利である。エーテルタイプのものは、弾力性に優れ、多様な材料が選択でき、通常エステルタイプのものより安価である。
【００４６】
本発明の実施形態では、図１（ｂ）に示すように三次元網目構造からなる部分１０ｃの外側が複数の突出繊維端１０ｄを有する起毛状とされている。また、該部分１０ｃの内側における網目は、該部分の外側における網目よりも網目の開口が小さくなっている。三次元網目構造における網目（セル）の大きさ（密度）は、排水を透過させる主要部分の最も密な部分において、２５ｍｍ当たり（ＪＩＳＫ６４００設定）４〜３０個となるように製造することが望ましい。３０個より多くなると水の透過が非常に悪くなって目詰まりも急速となり、４個より少なくなると、異物の捕捉能力が低下する。この観点から、より望ましくは８〜２５個、さらに望ましくは１０〜２０個となるように製造することが望ましい。
【００４７】
設置部１０ｂは、殻状壁１０ａが排水口を覆う位置をとるように、排水口又はその近傍に接し得るようになっており、本実施形態においては、設置部１０ｂが殻状壁１０ａの底部に対応している。図１（ｃ）に示すように、設置部１０ｂは平面状に形成されていることが望ましい。このような形状は、例えば、殻状壁１０ａの底部を熱溶融させ平面状に固化させることによって形成される。設置部１０ｂはこの平面状の形状によって、図２（ａ）に示すように排水口２０の周縁部２０ａに適合するように接する。或いは、殻状壁に用いる材質によっては、設置部１０ｂを柔軟で緻密な部材で構成し、設置部１０ｂと排水口２０の周縁部２０ａとの間の密着性を強くすることにより、排水口２０の周縁部２０ａに自己接着可能な構造とすることもできる。また、設置部１０ｂを粘性の強い部材で構成し、該粘性により、排水口２０の周縁部２０ａに自己接着可能な構造とすることもできる。設置部１０ｂと排水口周縁部２０ａとの間の分子間力で密着状態を維持することもできる。
【００４８】
廃棄用吊り上げ部材１４は、殻状壁１０ａと結合されていればよく、殻状壁１０ａの天面付近でなく側面や設置部１０ｂ等に設けられていてもよく、或いは省略することもできる。また、この廃棄用吊り上げ部材１４は、摘み部と殻状壁１０ａへの連結部とを備えておればよく、殻状壁に挿通する端部に幅方向に広がる戻り止め部を設ける等、様々な形態が可能である。
【００４９】
このように構成された本発明の実施形態に係る排水口用フィルタ１０は、図２（ａ）に示すように設置部１０ｂにより排水口２０の周縁部２０ａに設置されて使用される。排水口２０に流れる排水は殻状壁１０ａを通過することとなり、三次元網目構造部分１０ｃが、排水中に含まれるゴミや毛などの異物Ｘを捕捉する。また、殻状壁１０ａは、排水口の上方に設置されるため、水切れが良く衛生的である。
【００５０】
本発明の実施形態に係る排水口用フィルタ１０によれば、三次元網目構造部分１０ｃによって、排水中の異物Ｘを該構造中に立体的に分散させて捕捉することができるので、異物Ｘを捕捉しても該構造中に排水経路となる空隙を残留させ易い。したがって、高い異物の捕捉能力を保ちつつ、排水能力を長期間維持することができる。
【００５１】
また、設置部からの立ち上がり部及び閉じた天面を有した立体的な殻状壁１０ａが三次元網目構造部分１０ｃを備えているので、排水と最もよく接する部分が目詰まり等で排水能力を低下させても、殻状壁１０ａの他の部分からの排水が確保される。したがって、この点からも高い排水能力を長期間維持することができる。
【００５２】
さらに本実施形態では、三次元網目構造部分１０ｃの外側は、網目構造の網目の連続が切断された起毛状となっているので、排水中の異物Ｘを起毛状の部分に絡め取ることができ、より高い異物の捕捉能力を得ることができる。また、図２（ｂ）に示すように、殻状壁１０ａのドーム形状に基づいて、三次元網目構造部分１０ｃの内側における網目が、外側における網目よりも網目の開口が小さくなっているので、大きい異物Ｘ１を三次元網目構造の外側で捕捉し、小さい異物Ｘ２を内側で捕捉するというように、異物Ｘの捕捉位置をより立体的に分散させることができる。したがって、排水能力をより長期間維持することができる。
【００５３】
図３（ａ）は、本発明の他の実施形態に係る排水口用フィルタの斜視図であり、図３（ｂ）は図３（ａ）に示した領域Ｄにおける排水口用フィルタの断面を示している。
【００５４】
図示のように、本発明の他の実施形態に係る排水口用フィルタ３０は、環状の粘着材層３２を有する環状の設置部３０ｂと、設置部３０ｂから上方への立ち上がり部及び閉じた天面を有する殻状壁３０ａとを備えており、殻状壁３０ａは、その天面付近に薬剤載置用凹部３０ｅを備えている。
【００５５】
殻状壁３０ａは、この例においても三次元網目構造からなる部分３０ｃで全体を形成されている。三次元網目構造については、上記実施形態と同様であり、本実施形態においても、図３（ｂ）に示すように該構造の外側が複数の突出繊維端３０ｄを有する起毛状とされている。
【００５６】
設置部３０ｂは、設置部３０ｂは、殻状壁３０ａが排水口を覆う位置をとるように、排水口又はその近傍に接し得るようになっている。本実施形態では、設置部３０ｂの環状底面の粘着材層３２を備えて構成されており、この粘着材層３２によって、排水口又はその近傍に粘着を伴って適合するようになっている。本実施形態では、設置部３０ｂ及び粘着材層３２が略六角形状となっているが、三角形その他の多角形状、又は円形、星形等、種々の環状の形態とすることもできる。設置部３０ｂは、熱溶融等により平面状に形成されていることが望ましい。これにより、製造時に、又は消費者が使用前に、粘着材層３２を設置部３０ｂに貼着するのが容易となる。
【００５７】
粘着材層３２は、ゴム系、アクリル系、ユリア樹脂系、メラニン樹脂系、フェノール系、エポキシ樹脂系、ウレタン樹脂系、シリコーン系などの種々の樹脂で構成され得る。これらは、溶剤系、水性系のいずれでも良く、感圧接着タイプとすることができる。また、上記実施形態のように粘着材層を省略することもできる。
【００５８】
また、粘着材層３２は環状とせず、設置部３０ｂの複数箇所に離散的に、或いは１箇所だけに設けることもできる。尚、粘着性が強い素材を用いる場合には、使用時まで粘着性を保護するため、粘着材層３２は剥離紙（図示せず）等で覆われていることが好ましい。
【００５９】
薬剤載置用凹部３０ｅは、殻状壁３０ａの天面付近に設けられた陥没部分であり、図示のように、薬剤載置用凹部３０ｅの中には薬剤４０が設置される。薬剤４０には、洗浄剤、香料、消臭剤、脱臭剤、殺菌剤、除菌剤、抗菌剤等が用いられる。これらの薬剤は水溶性でも、親油性でも良い。常温で液体のものであれば担持体に担持させればよく、例えば、液状香料をシリカゲルなどに担持させて粒体とし、打錠処理によりタブレットとした芳香剤が挙げられる。常温で粉体のものであれば、粉体のまま若しくは固形化すれば良く、例えば粉粒体の界面活性剤を固形化した洗浄剤が挙げられる。また、薬剤載置用凹部を設けなくとも、洗浄剤、香料、消臭剤、脱臭剤、殺菌剤、除菌剤、抗菌剤等を含浸、噴霧、練り込み等によりフィルタ樹脂に具備させることができる。例えば、洗浄剤を用いる場合には、両性、アニオン系、ノニオン系、カチオン系の界面活性剤が用いられる。界面活性剤は徐溶性の高いものが好ましく、排水口の洗浄が可能となる。
【００６０】
香料を用いる場合には、親油性のものが好ましく、これにより排水によってフィルタ樹脂上で香料ゲルを形成し長期間芳香させることができる。また、排水口から発せられる悪臭をマスキングすることができる。消臭剤、脱臭剤は、粉体のものが好ましく、活性炭、シリカゲル、ポリフェノール、酸化亜鉛、酸化チタン、ゼオライトなどの他、銀、銅、亜鉛などの金属等を用いることが好ましい。これにより排水口から発せられる悪臭を消臭又は脱臭することができる。また、殺菌剤、除菌剤、抗菌剤は、粉体のものが好ましく、ポリフェノール、銀などの金属、カチオン系界面活性剤、チアベンダゾール、オルトフェニルフェノール等を用いることが好ましい。さらには、カチオン系で徐溶性の界面活性剤が好ましい。これにより排水口用フィルタ３０や排水口にぬめりなどが生じるのを抑制することができ、排水口用フィルタ３０を長持ちさせ、排水口自体も洗浄することが可能となる。
【００６１】
このように構成された本発明の実施形態に係る排水口用フィルタ３０は、上記実施形態と同様に、三次元網目構造部分３０ｃを備えた立体的な殻状壁３０ａによって高い異物の捕捉能力を保ちつつ、排水能力を長期間維持することができる。これにより、排水中に含まれるゴミや毛などの異物を効果的に捕捉することができる。
【００６２】
本実施形態に係る排水口用フィルタ３０では、さらに設置部３０ｂに粘着材層３２が設けられているので、排水口用フィルタ３０と排水口との付着力を強くすることができ、排水口用フィルタ３０自体を排水の流勢に対してより安定化させることができる。
【００６３】
また、本実施形態に係る排水口用フィルタ３０では、殻状壁３０ａの天面付近に薬剤載置用凹部３０ｅが設けられているので、洗浄剤、香料、消臭剤、脱臭剤、殺菌剤、除菌剤、抗菌剤等の薬剤４０を薬剤載置用凹部３０ｅに設置することができる。これにより、排水中の異物を除去しつつ、設置した薬剤の作用を得ることができる。
【００６４】
上述した実施形態では、本発明の実施形態に係る排水口用フィルタ１０が洗い場等の床面に露出した排水口２０に設置される場合を示したが、本発明の実施形態に係る排水口用フィルタ１０は様々な形状の排水口に設置することができる。
【００６５】
図４（ａ）〜（ｄ）は、図１（ａ）に示した排水口用フィルタを排水口に設置した状態を模式的に示した断面図である。
【００６６】
図４（ａ）は、図２（ａ）に示した排水口２０に排水口用フィルタ１０を設置した状態を示している。この設置状態では、設置部１０ｂが排水口２０の周縁部２０ａに適合して設置されている。目皿２１を取り外し、直接排水口の開口部に被せることもできる。
【００６７】
図４（ｂ）は、上方に突き出た部分を有する目皿２１Ａで覆われた排水口２０Ａに排水口用フィルタ１０を設置した状態を示している。この設置状態では、殻状壁１０ａが目皿２１Ａの突出部に被せられるようにして設置されている。
【００６８】
排水口は、洗い場などの面と同じ高さに設けられる他、スリット付きの蓋で覆われた排水口用溝に設けられることもある。本発明の実施形態に係る排水口用フィルタはこのような排水口にも設置することができる。このような排水口用溝では、溝の底面からスリット付き蓋までの高さが比較的低い場合もある。
【００６９】
図４（ｃ）は、このような蓋付きの排水口２０Ｂに排水口用フィルタ１０を設置した状態を示している。この設置状態では、設置部１０ｂが排水口２０の周縁部２０ａに適合し、殻状壁１０ａが弾性変形して設置されている。このように本発明の実施形態に係る排水口用フィルタ１０によれば、殻状壁１０ａが柔軟であるので、スリット付き蓋で押さえつけられると変形し、設置が可能となる。この場合でも台所等で一般に用いられるスポンジのように網目がつぶれて排水能力が低下してしまうことがなく、三次元網目構造が維持され、高い排水能力が確保される。これは殻形状により上からの圧力が分散されるからである。また、目皿２１を取り外し、直接排水口の開口部に被せることもできる。
【００７０】
また、排水口が、その周縁に沿って洗い場の面から陥没して設けられている場合がある。図４（ｄ）は、このような目皿を外した排水口又は陥没したの排水口２０Ｃに排水口用フィルタ１０を設置した状態を示している。この設置状態では、設置部１０ｂは殻状壁１０ａ側面の下部外周面で形成され、排水口２０Ｃに嵌り込んでおり、弾性変形することにより排水口２０Ｃ内壁面に接している。
【００７１】
図５（ａ）〜（ｄ）は、本発明のさらに他の実施形態に係る排水口用フィルタを排水口に設置した状態を模式的に示した断面図である。
【００７２】
図５（ａ）に示す実施形態に係る排水口用フィルタ１０Ａは、環状の設置部１０Ａｂと、該設置部１０Ａｂから上方への立ち上がり部及び閉じた天面を有した殻状壁１０Ａａとを備えている。設置部１０Ａｂは、該殻状壁１０Ａａの殻状下端部を径方向内側に折り曲げ、その先端を再び下方へ折り曲げた形状となっている。
【００７３】
図５（ａ）は、この排水口用フィルタ１０Ａを排水口２０Ｄに設置した状態を示している。この設置状態では、設置部１０Ａｂが排水口２０Ｄの周縁部２０Ｄａに適合して設置されている。このように排水口用フィルタ１０Ａによれば、殻状壁１０Ａａとの間の段部及びこれに続く縮径部が設置部１０Ａｂとなっているので、該縮径部を排水口２０Ｄに挿入するようにして適合させることができる。
【００７４】
図５（ｂ）に示す実施形態に係る排水口用フィルタ１０Ｂは、環状の設置部１０Ｂｂと、該設置部１０Ｂｂから上方への立ち上がり部及び閉じた天面を有した殻状壁１０Ｂａとを備えており、設置部１０Ｂｂは殻状壁１０Ｂａ下部から径方向外側に突出したフランジ部を備えている。図５（ｂ）に示す設置状態では、設置部１０Ｂｂが排水口２０Ｅの周縁部２０Ｅａに適合して設置されている。この排水口用フィルタ１０Ｂによれば、設置部１０Ｂｂのフランジ部により、排水口２０Ｅの周縁部２０Ｅａとの接触面積が増し、排水口用フィルタ１０Ｂを安定して設置することができる。このようなフランジ部を有する排水口用フィルタでは、前記フランジ部が、排水口又は排水口付近に対応する形状に切り取り可能とすることができ、これにより該フランジ部の一部を設置する排水口開口部の寸法や形状に適合するように切り取ることができる。また、目皿２１Ｅを取り外して設置した場合においても、排水口用フィルタ１０Ｂが排水口２０Ｅに落下するのを防ぐことができる。
【００７５】
図５（ｃ）は、上記排水口用フィルタ１０Ｂを図５（ｂ）に示した排水口２０Ｅより径の小さい排水口２０Ｆに設置した状態を示している。この設置状態においても、設置部１０Ｂｂが排水口２０Ｆの周辺部２０Ｆａに設置されている。このように排水口用フィルタ１０Ｂによれば、径の異なる多様な寸法や形状の排水口に設置することができ、汎用性がある。
【００７６】
図５（ｄ）に示す実施形態に係る排水口用フィルタ１０Ｃは、環状の設置部１０Ｃｂと、設置部１０Ｃｂから上方への立ち上がり部及び閉じた天面を有する殻状壁１０Ｃａとを備えており、殻状壁１０Ｃａは、その天面付近に薬剤載置用凹部１０Ｃｅを備えており、薬剤載置用凹部１０Ｃｅの中には薬剤４０が設置されている。図５（ｄ）に示す設置状態では、設置部１０Ｃｂは殻状壁１０Ｃａ側面の下部外周面で形成され、排水口２０Ｇに嵌り込んでおり、弾性変形することにより排水口２０Ｇ内壁面に接している。これにより、排水が薬剤４０に接しやすく、排水中の異物を除去しつつ、設置した薬剤の作用を得ることができる。
【００７７】
以上本発明の実施形態について詳細に説明したが、本発明は上記実施形態に制限されるものではなく種々の変更が可能である。図６（ａ）〜（ｅ）は、本発明の他の実施形態に係る排水口用フィルタの斜視図である。
【００７８】
図６（ａ）に示すように、殻状壁６０ａが三次元網目構造部分６０ｃと、網目のない連続面等の他の部材で構成された部分６６とで構成されていてもよい。また、図６（ｂ）に示すように殻状壁が円錐形となったもの、図６（ｃ）に示すように設置部の環状が多角形となったもの、図６（ｄ）に示すように殻状壁が起伏を有するもの、図６（ｅ）に示すように殻状壁６０Ｅａに複数の薬剤載置用凹部６０Ｅｅを有するものなど、様々な形態とすることが可能である。これらの排水口用フィルタの設置部も図２（ｄ）に示したような段部を伴った縮径部を備えることができる。
【００７９】
【発明の効果】
本発明に係る排水口用フィルタは、環状の設置部と、該設置部から上方への立ち上がり部及び閉じた天面を有した殻状壁とを備え、該殻状壁が三次元網目構造からなる部分を備え、該三次元網目構造からなる部分の内側における網目が、外側における網目よりも網目の開口が小さくなっている。
【００８０】
このように構成された本発明に係る排水口用フィルタによれば、高い異物の捕捉能力を保ちつつ、排水能力を長期間維持し得る。
【図面の簡単な説明】
【図１】（ａ）は、本発明の実施形態に係る排水口用フィルタの斜視図であり、（ｂ）は（ａ）に示した領域Ａ、（ｃ）は領域Ｂにおける排水口用フィルタの断面をそれぞれ示している。
【図２】（ａ）は、本発明の実施形態に係る排水口用フィルタの使用状態を示した図であり、（ｂ）は（ａ）に示した領域Ｃにおける排水口用フィルタの断面を示している。
【図３】（ａ）は、本発明の他の実施形態に係る排水口用フィルタの斜視図であり、（ｂ）は（ａ）に示した領域Ｄにおける排水口用フィルタの断面を示している。
【図４】（ａ）〜（ｄ）は、図１（ａ）に示した排水口用フィルタを排水口に設置した状態を模式的に示した切断端面図である。
【図５】（ａ）〜（ｄ）は、本発明のさらに他の実施形態に係る排水口用フィルタを排水口に設置した状態を模式的に示した切断端面図である。
【図６】（ａ）〜（ｅ）は、本発明の他の実施形態に係る排水口用フィルタの斜視図である。
【符号の説明】
１０  排水口用フィルタ
１０ａ  殻状壁
１０ｂ  設置部
１０ｃ  三次元網目構造からなる部分
１０ｄ  突出繊維端
１４  廃棄用吊り上げ部材
【要約】【課題】高い異物の捕捉能力を保ちつつ、排水能力を長期間維持し得る排水口用フィルタを提供する。
【解決手段】排水中の異物Ｘを捕捉する排水口用フィルタ１０であって、環状の設置部１０ｂと、設置部１０ｂから上方への立ち上がり部及び閉じた天面を有した殻状壁１０ａとを装備し、殻状壁１０ａに三次元網目構造からなる部分１０ｃを設け、殻状壁１０ａが排水口を覆う位置をとるように、設置部１０ｂを排水口又はその近傍に接し得る構成とする。
【選択図】  図２【図１】
0003551190.tif 000002
【図２】
0003551190.tif 000003
【図３】
0003551190.tif 000004
【図４】
0003551190.tif 000005
【図５】
0003551190.tif 000006
【図６】
0003551190.tif 000007